(57)【要約】【課題】密着イメージセンサを用いて通帳等の媒体に印刷された情報を読取る手段を提供する。【解決手段】媒体処理装置が、媒体に印刷された情報を、コンタクトガラスを介して読取る密着イメージセンサと、前記密着イメージセンサに対向配置され、前記媒体を前記コンタクトガラスの方向に押圧する押圧部材と、前記コンタクトガラスに設けられ、前記コンタクトガラスの光軸通過面から突出する突出部と、を備え、前記突出部に前記媒体の読取面に当接する当接面を設けると共に、前記当接面を、前記密着イメージセンサの焦点位置に配置する。【選択図】        図２
2017085451.tif 000002
【特許請求の範囲】
【請求項１】
媒体に印刷された情報を、コンタクトガラスを介して読取る密着イメージセンサと、
前記密着イメージセンサに対向配置され、前記媒体を前記コンタクトガラスの方向に押圧する押圧部材と、
前記コンタクトガラスに設けられ、前記コンタクトガラスの光軸通過面から突出する突出部と、を備え、
前記突出部に前記媒体の読取面に当接する当接面を設けると共に、前記当接面を、前記密着イメージセンサの焦点位置に配置したことを特徴とする媒体処理装置。
【請求項２】
請求項１に記載の媒体処理装置において、
前記押圧部材は、前記媒体への押圧部から、媒体の挿入方向の前後方向に下る斜面を有することを特徴とする媒体処理装置。
【請求項３】
請求項１または請求項２に記載の媒体処理装置において、
前記押圧部材を、取扱う媒体の中で最も薄い媒体の通過が可能な位置に停止させるストッパを設けたことを特徴とする媒体処理装置。
【請求項４】
請求項１ないし請求項３のいずれか一項に記載の媒体処理装置において、
前記突出部を、前記光軸通過面を挟んで、前記媒体の挿入方向の前後に配置したことを特徴とする媒体処理装置。
【請求項５】
請求項１ないし請求項４のいずれか一項に記載の媒体処理装置において、
前記光軸通過面を、塵埃が付着しても前記情報の読取りが可能な位置に設けたことを特徴とする媒体処理装置。
【発明の詳細な説明】
【技術分野】
【０００１】
本発明は、通帳等の媒体に印刷された頁マーク等の情報を読取る通帳読取装置等の媒体処理装置に関する。
【背景技術】
【０００２】
従来の通帳プリンタに搭載された通帳のバーコードを読取る通帳読取装置は、フォトトランジスタと発光ダイオードで構成された反射型センサと、これに対向配置され昇降可能に構成されたプラテンとを備え、反射型センサの下部位置まで搬送された通帳を、プラテンを上昇させてプロテクタに突当て、通帳のバーコードを読取っている（例えば、特許文献１参照。）。
【先行技術文献】
【特許文献】
【０００３】
【特許文献１】特開２０００−２９６９４２号公報（段落００２２−００２５、第３図）
【発明の概要】
【発明が解決しようとする課題】
【０００４】
しかしながら、上述した従来の技術においては、縮小工学系を用いたいわゆるＣＣＤ方式のセンサを用いて通帳に印刷されたバーコード等の情報を読取っているため、通帳読取装置の小型化のために、センサを小型化すると読取範囲が狭くなってしまい、ページマークや記帳開始行を読取るためには、図８に示すように、通帳を搬送方向に沿って、ページマーク読取領域と記帳開始行読取領域の少なくとも２つの領域に分割し、それぞれの領域にセンサを移動させ通帳を往復搬送して、２往復させることによってこれらの情報を読取ることが必要になり、通帳の読取処理に時間を要するという問題がある。
【０００５】
このため、ＣＭＯＳセンサからなるイメージセンサを用いた、いわゆるＣＩＳ方式のセンサ（密着イメージセンサという。）を用いると、１往復させることによって前記各情報を読取ることが可能になるが、密着イメージセンサの焦点深度が浅いために、通帳等の冊子状の媒体に印刷された情報を読取る場合には、読取面に綴じ部による段差が存在するため、情報を正確に読取ることができない場合があるという問題が生ずる。
本発明は、上記の問題点を解決するためになされたもので、密着イメージセンサを用いて通帳等の媒体に印刷された情報を読取る手段を提供することを目的とする。
【課題を解決するための手段】
【０００６】
本発明は、上記課題を解決するために、媒体処理装置が、媒体に印刷された情報を、コンタクトガラスを介して読取る密着イメージセンサと、前記密着イメージセンサに対向配置され、前記媒体を前記コンタクトガラスの方向に押圧する押圧部材と、前記コンタクトガラスに設けられ、前記コンタクトガラスの光軸通過面から突出する突出部と、を備え、前記突出部に前記媒体の読取面に当接する当接面を設けると共に、前記当接面を、前記密着イメージセンサの焦点位置に配置したことを特徴とする。
【発明の効果】
【０００７】
これにより、本発明は、焦点深度の浅い密着イメージセンサであっても、通帳Ｔの印刷情報を正確に読取ることができるという効果が得られる。
【図面の簡単な説明】
【０００８】
【図１】実施例１の通帳読取装置を示す説明図
【図２】実施例１の通帳読取部を示す説明図
【図３】実施例１の通帳読取部の図１の矢印Ａ方向から見た下面を示す説明図
【図４】実施例１の通帳の綴じ部近傍の読取状態を示す説明図
【図５】実施例１の押圧部材の外観を示す説明図
【図６】実施例１の通帳読取部の図１の矢印Ｂ方向から見た外観を示す説明図
【図７】実施例２の通帳読取部を示す説明図
【図８】通帳の記帳ページを示す説明図
【発明を実施するための形態】
【０００９】
以下に、図面を参照して本発明による媒体処理装置の実施例について説明する。
【実施例１】
【００１０】
以下に、図１ないし図６を用いて本実施例の通帳読取装置について説明する。
本実施例の媒体処理装置としての通帳読取装置１は、現金自動預払機等の自動取引装置に設けられた通帳取扱部等に搭載され、媒体としての通帳Ｔに印刷されたバーコードやページマーク、記帳開始行等の情報（印刷情報という。）を読取る機能を有しており、図１に示すように、密着イメージセンサ２、密着イメージセンサ２に通帳Ｔを挟んで対向配置された、押圧部材としての押圧部材３、押圧部材３を密着イメージセンサ２の方向に付勢する付勢手段としてのバックアップスプリング４等からなる通帳読取部５と、通帳Ｔを搬送する搬送ローラ６、７、搬送ガイド８等を備えている。
【００１１】
密着イメージセンサ２は、図２に示すように、ＣＭＯＳセンサからなるイメージセンサ１１、イメージセンサ１１を搭載した基板１２、レンズ体１３、発光ダイオード等の光源１４ａ、１４ｂ、コンタクトガラス１５、支持リブ１６ａ、１６ｂ等を備えている。
また、密着イメージセンサ２は、図３に示すように、通帳Ｔの挿入方向（図１において、左側から右側へ向かう方向。媒体挿入方向という。）の直交方向である通帳Ｔの幅方向に、通帳幅以上の長さで伸長する棒状のセンサであって、長手方向の両側の端部に設けられた取付部２ａによって、通帳読取装置１の図示しない装置本体に取付けられる。なお、図３は、図１の矢印Ａ方向から見た密着イメージセンサ周辺を示す下面図である。
【００１２】
基板１２は、搭載されたイメージセンサ１１が読取った通帳Ｔの画像データを電気信号に変換して通帳読取装置１の図示しない制御部へ出力する機能等を有する。
レンズ体１３は、密着イメージセンサ２と同等の長手方向長さを有する直方体状の棒状部材であり、例えば、セルフォックレンズ（「セルフォック（ＳＥＬＦＯＣ）」は、日本板硝子株式会社の登録商標）等を用いることができる。
コンタクトガラス１５は、透明素材で形成された密着イメージセンサ２の支持部材であって、レンズ体１３と押圧部材３との間には、イメージセンサ１１の光軸を通過させる光軸通過面１５ａが形成されており（図２参照）、レンズ体１３を保護する機能等を有している。
【００１３】
支持リブ１６ａ、１６ｂは、それぞれコンタクトガラス１５に一体成形された板状部材であって、支持リブ１６ａは、媒体挿入方向の上流側に幅方向に沿って複数配置され、支持リブ１６ｂは媒体挿入方向の下流側に幅方向に沿って複数配置される（図３参照）。
また、支持リブ１６の押圧部材３側には、図２に示すように、光軸通過面１５ａから押圧部材３に向かって突出する突出部２０ａ、２０ｂが、光軸通過面１５ａを挟んで媒体挿入方向の前後に設けられており、それぞれの頂部には、通帳Ｔの読取面に当接する当接面２１ａ、２１ｂが形成されている。
【００１４】
本実施例の当接面２１ａ、２１ｂは、密着イメージセンサ２の焦点位置となる位置に形成され、当接面２１ａ、２１ｂと光軸通過面１５ａとの距離、つまり当接面２１から光軸通過面１５ａまでの深さＳ1は、搬送中の通帳Ｔの読取面が接触しない程度の深さ（本実施例では、１ｍｍ）になっている。
押圧部材３は、コンタクトガラス１５の光軸通過面１５ａとの対向部に押圧部２２が形成され、その媒体挿入方向の前後には、それぞれ上流側に向かって下る方向に形成された斜面２３ａと、下流側に向かって下る方向に形成された斜面２３ｂが形成され、上部が等脚台形状に形成されている。
【００１５】
この押圧部２２と両側の斜面２３ａ、２３ｂとの間の傾斜角は、図４に示すように、通帳Ｔの綴じ部を逃がして、綴じ部による段差を軽減し、綴じ部近傍の行が焦点深度範囲に納まるのに十分な角度になっている。
また、押圧部材３は、図５に示すように、ブラケット２５に通帳Ｔの幅方向に沿って複数（本実施例では３箇所）立設されており、幅方向の両端の押圧部材３の幅方向の外側の面には、それぞれガイドピン２７が立設されている。
【００１６】
本実施例のガイドピン２７は、図５において手前側の押圧部材３に、押圧部材３の移動方向（上下方向）に沿って２つ、奥側の手前側の押圧部材３には、上側の一つのみ設けられている。
本実施例の装置本体には、図６に示すように、ガイドピン２７に遊嵌する矩形のガイド穴２８が形成されたガイド板２９が取付けられており、両側のガイド板２９のガイド穴２８に嵌合するガイドピン２７によって、本実施例の押圧部材３は、その上下方向の移動を案内されると共に、その揺動（ガイドピン２７の軸周りの回動をいう。）が防止される。なお、図６は、図１の矢印Ｂ方向から見た押圧部材周辺を示す矢視図である。
【００１７】
また、ガイド穴２８の上面は、本実施例の係止面２８ａとして機能し、上側のガイドピン２７が係止面２８ａに当接することによって、通帳Ｔの搬送前の押圧部材３の押圧部２２が、所定の位置、つまり、押圧部材３の押圧部２２と、突出部２０の当接面２１との間の隙間Ｇ（図２参照）が、取扱う全て媒体の読取面が、密着イメージセンサ２の焦点深度範囲となる位置に停止する。
このため、本実施例の隙間Ｇは、取扱う媒体の中で最も薄い媒体、例えば複写紙や伝票の１枚分の厚さ（本実施例では、０．０７〜０．０８ｍｍ）以下で、当該媒体が搬送可能な隙間に設定される。
【００１８】
バックアップスプリング４は、圧縮コイルスプリング等のバネ部材であって、一端は通帳読取装置１の図示しない装置本体に取付けられ、他端は押圧部材３のブラケット２５の下面に取付けられており、押圧部材３をコンタクトガラス１５の方向に押圧する。
また、バックアップスプリング４はブラケット２５の長手方向に複数、本実施例では各押圧部材３の下方にそれぞれ設けられている。
搬送ローラ６は、一対のローラ６ａ、６ｂを対向配置した通帳Ｔを挟持して搬送するローラ対であって、通帳読取部５の媒体挿入方向の上流側に配置され、通帳Ｔを媒体挿入方向およびその反対方向に往復搬送する。
【００１９】
搬送ローラ７は、一対のローラ７ａ、７ｂを対向配置した通帳Ｔを挟持して搬送するローラ対であって、通帳読取部５の、通帳Ｔの媒体挿入方向の下流側に配置され、通帳Ｔを媒体挿入方向およびその反対方向に往復搬送する。
搬送ガイド８は、上ガイド８ａと下ガイド８ｂとを対向配置した搬送時における通帳Ｔのガイド部材であって、搬送ローラ６、７や押圧部材３を搬送路内に突出させる窓部９が設けられている（図３、図６参照）。
【００２０】
上記の構成の作用について説明する。
通帳読取装置１の図示しない通帳挿入口から記帳ページを開いた通帳Ｔを、記帳面を上にして水平方向に挿入すると、図示しない制御部は、搬送ローラ６によって挿入された通帳Ｔを挟持して通帳読取部５へ搬送し、搬送ローラ６の送り量によって、通帳Ｔの先端が、密着イメージセンサ２の近傍に達したことを検出する。
通帳Ｔの先端が密着イメージセンサ２に達したことを検出した制御部は、密着イメージセンサ２の光源１４ａ、１４ｂを点灯させ、基板１２に搭載されたイメージセンサ１１によって、通帳Ｔの印刷情報の読取りを行いながら、通帳Ｔの先端が搬送ローラ７に達すると、その先端を搬送ローラ７より挟持して更に搬送する。
【００２１】
このとき、基板１２は、イメージセンサ１１によって、記帳ページに印刷されたバーコードやページマークの画像データを読取ると共に、各行に印刷された文字等の画像データを順次に読取り、読取った全面に亘る画像データを電気信号に変換して順次または一括して制御部１１へ出力し、制御部１１は、出力された電気信号からなる画像情報を図示しない記憶部に格納する。
【００２２】
そして、制御部は、媒体挿入方向に搬送される通帳Ｔの後端が密着イメージセンサ２を通過したことを搬送ローラ６、７の送り量により検出すると、媒体挿入方向への搬送時に読取った印刷情報のチェックのために、通帳Ｔの搬送方向を反転させ、反媒体挿入方向への搬送による印刷情報の再読取りを全面に亘って行い、反媒体搬送方向への搬送による通帳Ｔの後端が、密着イメージセンサ２を通過したことを検出したときに、光源１４ａ、１４ｂを消灯させ、今回の１往復による印刷情報の読取りを終了させる。
【００２３】
印刷情報の読取りを終えた制御部は、記憶部に格納されている２つの画像情報の一致を確認し、その画像情報からページマークを抽出して、挿入された記帳ページのページ番号を読取って記帳開始ページを認識すると共に、各行の画像情報から空欄になっている最初の行を読取って、記帳開始行を認識する。
挿入された通帳Ｔの記帳開始ページと記帳開始行を認識した制御部は、認識した記帳開始ページおよび記帳開始行が、通帳Ｔの図示しない磁気ストライプから読取った記帳ページのページ番号および記帳開始行と一致することを確認して、図示しないドットインパクトプリンタ等の通帳プリンタによる記帳を開始する。
【００２４】
このような通帳Ｔの印刷情報の読取動作のときに、本実施例の押圧部材３は、通帳Ｔの搬送開始時において、ガイドピン２７がガイド穴２８の係止面２８ａにバックアップスプリング４によって押付けられた状態で待機しており、媒体挿入方向に搬送される通帳Ｔの先端が、コンタクトガラス１５の支持リブ１６ａに達すると、その搬送ローラ６側に形成された突出部２０ａの傾斜部（図１、図２参照）によって、通帳Ｔの先端が当接面２１ａの方向に導かれ、当接面２１ａに案内されながら押圧部材３の斜面２３ａに到達する。
通帳Ｔの先端が、押圧部材３の斜面２３ａに達すると、その先端により押圧部材３が押下げられ、ガイド穴２８に遊嵌するガイドピン２７によって揺動を防止されながら下方に移動し、通帳Ｔが読取面を上にした状態で、押圧部材３の押圧部２２によって支持リブ１６ａ、１６ｂの当接面２１ａ、２１ｂに押圧される。
【００２５】
そして、通帳Ｔの綴じ部が、押圧部材３の押圧部２２と斜面２３ａとの角部に接近すると、図４に示すように、本実施例の押圧部２２と斜面２３ａとの傾斜角は、綴じ部を逃がすのに十分な角度に形成されているので、通帳Ｔの読取面の位置が焦点深度範囲内に納まり、綴じ部近傍の各行を正確に読取ることができる。反対側の押圧部２２と斜面２３ｂとの角部においても同様である。
また、通帳Ｔの綴じ部が、コンタクトガラス１５の光軸通過面１５ａを通過すると、図１に示すように、通帳Ｔの記帳ページが押圧部２２により当接面２１ａ、２１ｂに押付けられた状態になり、通帳Ｔの印刷情報の読取りを良好に行うことができる。
【００２６】
以上説明したように、本実施例では、押圧部材３の押圧部２２で、通帳Ｔを密着イメージセンサ２のコンタクトガラス１５の突出部２０に形成した当接面２１に押付けて印刷情報を読取るので、焦点深度の浅い密着イメージセンサ２であっても、通帳Ｔの印刷情報を正確に読取ることができる。
また、コンタクトガラス１５の光軸通過面１５ａを当接面２１から深さＳ1で凹ませてあり、読取面が直接接触することがないので、読取面に印刷された情報のインク等により光軸通過面１５ａが汚れることはなく、良好な印刷情報の読取りを行うことができる。
【００２７】
更に、押圧部材３の両側に斜面２３を設けたので、通帳Ｔに綴じ部による段差があったとしても、綴じ部近傍の行に印刷された文字等を正確に読取ることができる。
更に、押圧部材３のガイドピン２７を、ガイド穴２８の係止面２８ａにより係止して、押圧部２２と当接面２１との隙間Ｇが、取扱う媒体の中で最も薄い媒体、例えば伝票が搬送可能な隙間になる位置で停止させるので、伝票に印刷された伝票種別記号等を読取ることが可能になり、通帳Ｔ以外の媒体も取扱うことができる。
【実施例２】
【００２８】
以下に、図７を用いて本実施例の通帳読取装置について説明する。なお上記実施例１と同様の部分は、同一の符号を付してその説明を省略する。
本実施例の通帳読取部５は、図７に示すように、図２に示した実施例１の通帳読取部５と同様に構成されているが、コンタクトレンズ１５の突出部２０ａ、２０ｂに設けられた当接面２１ａ、２１ｂから光軸通過面１５ａまでの深さＳ2が深く形成され、コンタクトガラス１５の光軸通過面１５ａに、塵埃が付着しても通帳Ｔに印刷された印刷情報の読取りが可能な深さ（本実施例では、２ｍｍ）になっている。
【００２９】
このようにするのは、通帳読取装置１の長期間の使用によって、通帳Ｔの挿入時等に侵入した塵や埃が光軸通過面１５ａに付着すると、その粒の大きさが細かい場合は、実施例１の深さＳ1であっても、焦点位置にある通帳１の読取面の印刷情報の読取りの妨げになることはないが、粒の大きさがドットインパクトプリンタ等により印刷された文字を構成する一つのドット程度の大きさになると、印刷情報の読取時に文字が不鮮明になる場合があるからである。
【００３０】
このため、本実施例では、光軸通過面１５ａの当接面２１からの深さを深くして、塵埃の付着面をレンズ体１３に近づけ、レンズ体１３に近い位置に付着している塵埃の鮮明さを低下させて、焦点位置にある通帳Ｔの読取面に印刷された文字の鮮明さを、比較的大きな塵埃の鮮明さに対して相対的に高くし、読取面の印字情報の確実な読取りを可能にしている。
このことは、本実施例の密着イメージセンサ２のように、焦点深度が浅い場合に、特に有効である。
【００３１】
また、深さＳ2は、深い程、塵埃の鮮明さが低下するので、光軸通過面１５ａへの塵埃の付着に対して有効であるが、レンズ体１３の長さや焦点距離は、密着イメージセンサ２に用いるレンズ体１３によって決まるため、深さＳ2の上限は、焦点位置にある当接面２１と、レンズ体１３の光軸通過面１５ａ側の面との間の距離から、強度や製造方法によって決まるコンタクトレンズ１５の最小厚さを減じた長さ未満とするのが望ましい。
【００３２】
このように、本実施例では、コンタクトガラス１５の光軸通過面１５ａを、塵埃が付着しても通帳Ｔに印刷された印刷情報の読取りが可能な位置に配置したので、光軸通過面１５ａに塵埃が付着したとしても印刷情報の読取りを確実に行うことができる。
なお、上記各実施例においては、押圧部材３の上部は、等脚台形状であるとして説明したが、二等辺三角形状の上部の頂点に角Ｒを設けた形状であってもよい。
【００３３】
また、上記各実施例においては、押圧部材３は３箇所に設けるとして説明したが、通帳Ｔの幅以上の長さを有する押圧部材３を１つ設けるようにしてもよく、２箇所または４か所以上設けるようにしてもよい。
更に、上記各実施例においては、ガイド穴２８は、矩形の穴であるとして説明したが、端部が半円弧状の長穴であってもよい。
【符号の説明】
【００３４】
１    通帳読取装置
２    密着イメージセンサ
２ａ  取付部
３    押圧部材
４    バックアップスプリング
５    通帳読取部
６、７  搬送ローラ
６ａ、６ｂ、７ａ、７ｂ  ローラ
８    搬送ガイド
８ａ  上ガイド
８ｂ  下ガイド
１１  イメージセンサ
１２  基板
１３  レンズ体
１４ａ、１４ｂ  光源
１５  コンタクトガラス
１５ａ  光軸通過面
１６ａ、１６ｂ  支持リブ
２０ａ、２０ｂ  突出部
２１ａ、２１ｂ  当接面
２２  押圧部
２３ａ、２３ｂ  斜面
２５  ブラケット
２７  ガイドピン
２８  ガイド穴
２８ａ  係止面
【図１】
2017085451.tif 000003
【図２】
2017085451.tif 000004
【図３】
2017085451.tif 000005
【図４】
2017085451.tif 000006
【図５】
2017085451.tif 000007
【図６】
2017085451.tif 000008
【図７】
2017085451.tif 000009
【図８】
2017085451.tif 000010